(57)【要約】【課題】  ＯＨＰフィルムに印刷された画像全面を鮮明に投影できる印刷結果を得るとともに、印刷されたＯＨＰフィルムの正像に対して適正な位置を綴じ込み位置として処理できる印刷結果を得ることである。【解決手段】  プリンタドライバ２０３が鏡像印刷モードと綴じ代方向とが同時指定されていると判定した場合に、指定される綴じ代方向を反転指定する印刷制御情報を生成する構成を特徴とする。【選択図】  図２
2005216032.tif 000002
【特許請求の範囲】
【請求項１】
選択給送されるＯＨＰフィルムに画像を印刷可能なプリンタ装置と通信可能なデータ処理装置であって、
前記ＯＨＰフィルムに対する鏡像印刷モードを指定する第１の指定手段と、
前記ＯＨＰフィルムに対する綴じ代方向を指定する第２の指定手段と、
前記第１の指定手段による鏡像印刷モードと前記第２の指定手段による綴じ代方向とが同時指定されているか否かを判定する判定手段と、
前記判定手段により鏡像印刷モードと綴じ代方向とが同時指定されていると判定した場合に、前記第２の指定手段により指定される綴じ代方向を反転指定する印刷制御情報を生成する生成手段と、
を有することを特徴とするデータ処理装置。
【請求項２】
選択給送されるＯＨＰフィルムに画像を印刷可能なプリンタ装置と通信可能なプリンタドライバであって、
前記ＯＨＰフィルムに対する鏡像印刷モードを指定する第１の指定手段と、
前記ＯＨＰフィルムに対する綴じ代方向を指定する第２の指定手段と、
前記第１の指定手段による鏡像印刷モードと前記第２の指定手段による綴じ代方向とが同時指定されているか否かを判定する判定手段と、
前記判定手段により鏡像印刷モードと綴じ代方向とが同時指定されていると判定した場合に、前記第２の指定手段により指定される綴じ代方向を反転指定する印刷制御情報を生成する生成手段と、
を有することを特徴とするプリンタドライバ。
【請求項３】
選択給送されるＯＨＰフィルムに画像を印刷可能なプリンタ装置と通信可能なデータ処理装置における印刷制御方法であって、
前記ＯＨＰフィルムに対する鏡像印刷モードを指定する第１の指定ステップと、
前記ＯＨＰフィルムに対する綴じ代方向を指定する第２の指定ステップと、
前記第１の指定ステップによる鏡像印刷モードと前記第２の指定ステップによる綴じ代方向とが同時指定されているか否かを判定する判定ステップと、
前記判定ステップにより鏡像印刷モードと綴じ代方向とが同時指定されていると判定した場合に、前記第２の指定ステップにより指定される綴じ代方向を反転指定する印刷制御情報を生成する生成ステップと、
を有することを特徴とする印刷制御方法。
【請求項４】
選択給送されるＯＨＰフィルムに画像を印刷可能なプリンタ装置と通信可能なプリンタドライバにおける印刷制御方法であって、
前記ＯＨＰフィルムに対する鏡像印刷モードを指定する第１の指定ステップと、
前記ＯＨＰフィルムに対する綴じ代方向を指定する第２の指定ステップと、
前記第１の指定ステップによる鏡像印刷モードと前記第２の指定ステップによる綴じ代方向とが同時指定されているか否かを判定する判定ステップと、
前記判定ステップにより鏡像印刷モードと綴じ代方向とが同時指定されていると判定した場合に、前記第２の指定ステップにより指定される綴じ代方向を反転指定する印刷制御情報を生成する生成ステップと、
を有することを特徴とする印刷制御方法。
【請求項５】
請求項３または４記載の印刷制御方法を実行させるためのプログラムを格納したことを特徴とするコンピュータが読み取り可能な記憶媒体。
【請求項６】
請求項３または４記載の印刷制御方法を実行させることを特徴とするプログラム。
【発明の詳細な説明】
【技術分野】
【０００１】
本発明は、選択給送されるＯＨＰフィルムに画像を印刷可能なプリンタ装置と通信可能なデータ処理装置およびコンピュータが読み取り可能なプログラムを格納した記憶媒体に関するものである。
【背景技術】
【０００２】
従来のプリンティング技術で、ＯＨＰ（Ｏｖｅｒ  Ｈｅａｄ  Ｐｒｏｊｅｃｔｏｒ）での利用を考えて透明なプラスチックフィルムに印刷をおこなうＯＨＰ印刷という技術がある。
【０００３】
従来、このようなＯＨＰ印刷機能を備えるプリンタに対して印刷データを生成するプリンタドライバの技術として、下記特許文献１が既に公開されている。
【特許文献１】特開２０００−１８５４４５号公報
【発明の開示】
【発明が解決しようとする課題】
【０００４】
しかしながら、このようなプリンタでは、得られる生成物は、印刷面方向へフィルムが湾曲してしまうカールと言われる現象が発生してしまうという問題点があった。
【０００５】
このカールが発生しているＯＨＰフィルムを実際にＯＨＰで利用しようとすると、投影ガラス平面に対してフィルムの端方向が浮き上がってしまうため、投影画像がぼやけてしまうという不具合があった。
【０００６】
これを回避するために、鏡像印刷の技術をさらに適応してＯＨＰフィルムの裏面に印刷を行うという技術があった。
【０００７】
また、一方で、印刷画像をユーザの指定量シフトさせることで余白領域を生成し、ステイプルやパンチが印刷画像に影響を及ぼさないようにする、綴じ代機能と言う技術があった。
【０００８】
しかしながら、この二つの技術を併用した際、画像の反転方向、綴じ代の指定方向の関係によっては閉じ方向がユーザの期待するものと異なってしまう場合があった。
【０００９】
本発明は、上記の課題を解決するためになされたもので、選択給送されるＯＨＰフィルムに画像を印刷可能なプリンタ装置と通信可能なデータ処理装置または、選択給送されるＯＨＰフィルムに画像を印刷可能なプリンタ装置と通信可能なプリンタドライバにおいて、鏡像印刷モードと綴じ代方向とが同時指定されている場合に、指定される綴じ代方向を反転指定する印刷制御情報を生成することにより、ＯＨＰフィルムに対する鏡像印刷指定と綴じ代指定とが同時指定される場合における綴じ代位置の不具合を解消して、ＯＨＰフィルムに印刷された画像全面を鮮明に投影できる印刷結果を得るとともに、印刷されたＯＨＰフィルムの正像に対して適正な位置を綴じ込み位置として処理できる印刷結果を得ることができるデータ処理装置およびプリンタドライバおよび印刷制御方法およびコンピュータが読み取り可能なプログラムを格納した記憶媒体およびプログラムを提供することである。
【課題を解決するための手段】
【００１０】
本発明に係る第１の発明は、選択給送されるＯＨＰフィルムに画像を印刷可能なプリンタ装置と通信可能なデータ処理装置であって、前記ＯＨＰフィルムに対する鏡像印刷モードを指定する第１の指定手段（例えば図２に示すプリンタドライバ２０３）と、前記ＯＨＰフィルムに対する綴じ代方向を指定する第２の指定手段（例えば図２に示すプリンタドライバ２０３）と、前記第１の指定手段による鏡像印刷モードと前記第２の指定手段による綴じ代方向とが同時指定されているか否かを判定する判定手段（例えば図２に示すプリンタドライバ２０３）と、前記判定手段により鏡像印刷モードと綴じ代方向とが同時指定されていると判定した場合に、前記第２の指定手段により指定される綴じ代方向を反転指定する印刷制御情報を生成する生成手段（例えば図２に示すプリンタドライバ２０３）とを有することを特徴とする。
【００１１】
本発明に係る第２の発明は、選択給送されるＯＨＰフィルムに画像を印刷可能なプリンタ装置と通信可能なプリンタドライバであって、前記ＯＨＰフィルムに対する鏡像印刷モードを指定する第１の指定手段（例えば図２に示すプリンタドライバ２０３）と、前記ＯＨＰフィルムに対する綴じ代方向を指定する第２の指定手段（例えば図２に示すプリンタドライバ２０３）と、前記第１の指定手段による鏡像印刷モードと前記第２の指定手段による綴じ代方向とが同時指定されているか否かを判定する判定手段（例えば図２に示すプリンタドライバ２０３）と、前記判定手段により鏡像印刷モードと綴じ代方向とが同時指定されていると判定した場合に、前記第２の指定手段により指定される綴じ代方向を反転指定する印刷制御情報を生成する生成手段（例えば図２に示すプリンタドライバ２０３）とを有することを特徴とする。
【００１２】
本発明に係る第３の発明は、選択給送されるＯＨＰフィルムに画像を印刷可能なプリンタ装置と通信可能なデータ処理装置における印刷制御方法であって、前記ＯＨＰフィルムに対する鏡像印刷モードを指定する第１の指定ステップ（図１５に示すステップ（１５０１））と、前記ＯＨＰフィルムに対する綴じ代方向を指定する第２の指定ステップ（図１５に示すステップ（１５０１））と、前記第１の指定ステップによる鏡像印刷モードと前記第２の指定ステップによる綴じ代方向とが同時指定されているか否かを判定する判定ステップ（図１５に示すステップ（１５０２），（１５０４））と、前記判定ステップにより鏡像印刷モードと綴じ代方向とが同時指定されていると判定した場合に、前記第２の指定ステップにより指定される綴じ代方向を反転指定する印刷制御情報を生成する生成ステップ（図１５に示すステップ（１５０７））とを有することを特徴とする。
【００１３】
本発明に係る第４の発明は、選択給送されるＯＨＰフィルムに画像を印刷可能なプリンタ装置と通信可能なプリンタドライバにおける印刷制御方法であって、前記ＯＨＰフィルムに対する鏡像印刷モードを指定する第１の指定ステップ（図１５に示すステップ（１５０１））と、前記ＯＨＰフィルムに対する綴じ代方向を指定する第２の指定ステップ（図１５に示すステップ（１５０１））と、前記第１の指定ステップによる鏡像印刷モーと前記第２の指定ステップによる綴じ代方向とが同時指定されているか否かを判定する判定ステップ（図１５に示すステップ（１５０２），（１５０４））と、前記判定ステップにより鏡像印刷モードと綴じ代方向とが同時指定されていると判定した場合に、前記第２の指定ステップにより指定される綴じ代方向を反転指定する印刷制御情報を生成する生成ステップ（図１５に示すステップ（１５０７））とを有することを特徴とする。
【００１４】
本発明に係る第５の発明は、第３または第４の発明の印刷制御方法を実行させるためのプログラムをコンピュータが読み取り可能な記憶媒体に格納したことを特徴とする。
【００１５】
本発明に係る第６の発明は、第３または第４の発明の印刷制御方法を実行させるプログラムであることを特徴とする。
【発明の効果】
【００１６】
本発明によれば、ＯＨＰフィルムに対する鏡像印刷指定と綴じ代指定とが同時指定される場合における綴じ代位置の不具合を解消して、ＯＨＰフィルムに印刷された画像全面を鮮明に投影できる印刷結果を得るとともに、印刷されたＯＨＰフィルムの正像に対して適正な位置を綴じ込み位置として処理できる印刷結果を得ることができるという効果を奏する。
【発明を実施するための最良の形態】
【００１７】
次に本発明を実施するための最良の形態について図面を参照して説明する。
【００１８】
本発明の実施形態を説明する前に、以下、本発明を適用可能なプリンタと接続されたパーソナルコンピュータ等の情報処理装置からなるシステムの構成について説明する。
【００１９】
図１は、本発明の第１実施形態を示すデータ処理装置を適用可能な印刷システムの構成を説明するブロック図である。なお、本発明の機能が実行されるのであれば、単体の機器であっても、複数の機器からなるシステムであっても、ＬＡＮ，ＷＡＮ等のネットワークを介して接続がなされ処理が行われるシステムであっても本発明を適用できる。
【００２０】
図１に示すホストコンピュータ１００において、１０１はＣＰＵで、ＲＯＭ１０３のプログラム用ＲＯＭあるいは外部メモリ１１１に記憶された文書処理プログラム等に基づいて図形、イメージ、文字、表（表計算等を含む）等が混在した文書処理を実行するとともに、システムバス１０４に接続される各デバイスをＣＰＵ１０１が総括的に制御する。
【００２１】
また、このＲＯＭ１０３のプログラム用ＲＯＭあるいは外部メモリ１１１には、ＣＰＵ１０１の制御プログラムであるオペレーティングシステムプログラム（以下ＯＳ）等を記憶し、ＲＯＭ１０３のフォント用ＲＯＭあるいは外部メモリ１１１には上記文書処理の際に使用するフォントデータ等を記憶し、ＲＯＭ１０３のデータ用ＲＯＭあるいは外部メモリ１１１には上記文書処理等を行う際に使用する各種データを記憶する。
【００２２】
１０２はＲＡＭで、ＣＰＵ１０１の主メモリ、ワークエリア等として機能する。１０５はキーボードコントローラ（ＫＢＣ）で、キーボード（ＫＢ）１０９や不図示のポインティングデバイスからのキー入力を制御する。１０６はＣＲＴコントローラ（ＣＲＴＣ）で、ＣＲＴディスプレイ（ＣＲＴ）１１０の表示を制御する。１０７はディスクコントローラ（ＤＫＣ）で、ブートプログラム、各種のアプリケーション、フォントデータ、ユーザファイル、編集ファイル、プリンタ制御コマンド生成プログラム（以下プリンタドライバ）等を記憶するハードディスク（ＨＤ）、フレキシブルディスク（ＦＤ）等の外部メモリ１１１とのアクセスを制御する。プリンタコントローラ（ＰＲＴＣ）１０８は、双方向性インタフェース（インタフェース）１１２を介してプリンタ１５０に接続されて、プリンタ１５０との通信制御処理を実行する。
【００２３】
なお、ＣＰＵ１０１は、例えばＲＡＭ１０２上に設定された表示情報ＲＡＭへのアウトラインフォントの展開（ラスタライズ）処理を実行し、ＣＲＴ１１０上でのＷＹＳＩＷＹＧを可能としている。また、ＣＰＵ１０１は、ＣＲＴ１１０上の不図示のマウスカーソル等で指示されたコマンドに基づいて登録された種々のウインドウを開き、種々のデータ処理を実行する。ユーザは印刷を実行する際、印刷の設定に関するウインドウを開き、プリンタの設定や、印刷モードの選択を含むプリンタドライバに対する印刷処理方法の設定を行える。
【００２４】
プリンタ１５０において、１５１はプリンタＣＰＵで、ＲＯＭ１５３のプログラム用ＲＯＭに記憶された制御プログラム等あるいは外部メモリ１６０に記憶された制御プログラム等に基づいて印刷部Ｉ／Ｆ１５６を介してシステムバス１５４に接続される印刷部（プリンタエンジン）１５８に出力情報としての画像信号を出力する。
【００２５】
また、このＲＯＭ１５３のプログラム用ＲＯＭには、ＣＰＵ１５１の制御プログラム等を記憶する。ＲＯＭ１５３のフォント用ＲＯＭには上記出力情報を生成する際に使用するフォントデータ等が記憶され、ＲＯＭ１５３のデータ用ＲＯＭには、ハードディスク等の外部メモリ１６０がないプリンタの場合には、ホストコンピュータ上で利用される情報等が記憶されている。
【００２６】
ＣＰＵ１５１は入力部１５５を介してホストコンピュータとの通信処理が可能となっており、プリンタ内の情報等をホストコンピュータ１００に通知できる。ＲＡＭ１５２は、ＣＰＵ１５１の主メモリや、ワークエリア等として機能するＲＡＭで、図示しない増設ポートに接続されるオプションＲＡＭによりメモリ容量を拡張することができるように構成されている。
【００２７】
なお、ＲＡＭ１５２は、出力情報展開領域、環境データ格納領域、ＮＶＲＡＭ等に用いられる。前述したハードディスク（ＨＤ）、ＩＣカード等の外部メモリ１６０は、メモリコントローラ（ＭＣ）１５７によりアクセスを制御される。外部メモリ１６０は、オプションとして接続され、フォントデータ、エミュレーションプログラム、フォームデータ等を記憶する。
【００２８】
また、１５９は操作パネルで操作のためのスイッチおよびＬＥＤ表示器等が配されている。
【００２９】
さらに、前述した外部メモリ１６０は１個に限らず、複数個備えられ、内蔵フォントに加えてオプションカード、言語系の異なるプリンタ制御言語を解釈するプログラムを格納した外部メモリを複数接続できるように構成されていてもよい。更に、図示しないＮＶＲＡＭを有し、操作パネル１５９からのプリンタモード設定情報を記憶するようにしてもよい。
【００３０】
図２は、図１に示したホストコンピュータ１００におけるモジュールの構成を説明するブロック図であり、図１と同一のものには同一の符号を付してある。なお、プリンタ１５０とホストコンピュータ１００とは、例えばインタフェースケーブルあるいはネットワークを介して接続されているものとする。
【００３１】
図２において、アプリケーション２０１、グラフィックエンジン２０２、プリンタドライバ２０３、およびシステムスプーラ２０４は、外部メモリ１１１に保存されたファイルとして存在し、実行される場合にＯＳやそのモジュールを利用するモジュールによってＲＡＭ１０２にロードされ実行されるプログラムモジュールである。
【００３２】
また、アプリケーション２０１およびプリンタドライバ２０３は、外部メモリ１１１のＦＤや不図示のＣＤ−ＲＯＭ、あるいは不図示のネットワークを経由して外部メモリ１１１のＨＤに追加することが可能となっている。外部メモリ１１１に保存されているアプリケーション２０１はＲＡＭ１０２にロードされて実行されるが、このアプリケーション２０１からプリンタ１５０に対して印刷を行う際には、同様にＲＡＭ１０２にロードされ実行可能となっているグラフィックエンジン２０２を利用して出力（描画）を行う。
【００３３】
グラフィックエンジン２０２は、印刷装置ごとに用意されたプリンタドライバ２０３を同様に外部メモリ１１１からＲＡＭ１０２にロードし、アプリケーション２０１の出力をプリンタドライバ２０３に設定する。
【００３４】
そして、アプリケーション２０１から受け取るＧＤＩ（Ｇｒａｐｈｉｃ  Ｄｅｖｉｃｅ  Ｉｎｔｅｒｆａｃｅ）関数からＤＤＩ（Ｄｅｖｉｃｅ  Ｄｒｉｖｅｒ  Ｉｎｔｅｒｆａｃｅ）関数に変換して、プリンタドライバ２０３へＤＤＩ関数を出力する。プリンタドライバ２０３は、グラフィックエンジン２０２から受け取ったＤＤＩ関数に基づいて、プリンタが認識可能な制御コマンド、例えばＰＤＬ（Ｐａｇｅ  Ｄｅｓｃｒｉｐｔｉｏｎ  Ｌａｎｇｕａｇｅ）に変換する。変換されたプリンタ制御コマンドは、ＯＳによってＲＡＭ１０２にロードされたシステムスプーラ２０４を経てインタフェース１１２経由でプリンタ１５０へ印刷データとして出力される仕組みとなっている。
【００３５】
そして、印刷データを受け取ったプリンタ１５０は印刷データの指示に基づき用紙などのメディア上に画像の形成をおこなう。
【００３６】
なお、本実施形態において、プリンタドライバ２０３は印刷対象のメディアとしてＯＨＰ用のプラスチックフィルム（以降ＯＨＰフィルムと呼ぶ）をユーザインタフェースを介して指定可能であり、プリンタ１５０はこの指定に基づき印刷対象のメディアとしてＯＨＰフィルムを給紙し、同フィルム上に印刷することが可能なものとする。
【００３７】
また、ＯＨＰフィルムへの印刷を行う場合に発生する現象として、カールというものがある。これはＯＨＰフィルムへの印刷時、定着機の加熱などによりプラスチックフィルムが変形し、印刷面側に湾曲してしまう現象である。この現象は機械的な構造に起因するものであるために回避が困難である。しかしながら、このカールが原因で、次に示すような現象が発生している。
【００３８】
図３は、図１に示したプリンタ１５０から給送されるＯＨＰフィルムに対する印刷処理状態を説明する図であり、上記手段（プリンタエンジン）で印刷されたＯＨＰフィルムを実際にＯＨＰの原稿台Ｐに置いた場合を示す。
【００３９】
従来の技術により印刷されたものでは、正しい像３０２を投影するためには、載置状態３０１に示す通り、印刷面ＰＦが上方側に来るようにＯＨＰフィルムＦを設置する必要があった。
【００４０】
しかしながら、前述した通り、ＯＨＰフィルムＦにはカールという特有の現象が発生するため、載置状態３０３に示すように、ＯＨＰフィルムＦの縁方向が浮き上がるようになってしまう。このため投影される画像は、縁方向では焦点が合わず、結果としてぼやけた画像３０４となってしまっていた。
【００４１】
前述した問題点を回避する手段として、載置状態３０５に示すように印刷面を下向きに載置するという方法がある。このように載置することにより、カールの方向も下向きとなることによって、ＯＨＰフィルムＦの自重でカールを伸ばすことができ、結果としてＯＨＰフィルムＦの浮き上がりを軽減することができ、投影する画像も画像３０６のように、より鮮明なものとすることが可能である。
【００４２】
ただし、従来の技術では、印刷面を下側にすれば、当然ながら画像も左右反転され、結果として投影される画像は、画像３０６のように左右反転されたものとなってしまっていた。
【００４３】
このような問題点を解決する方法として、画像の左右を反転させて印刷をおこなう鏡像印刷を用いる方法がある。また、この手法をユーザに意識させずに、設定されたメディアに応じて自動的に行うことが可能である。
【００４４】
まず、以下に鏡像印刷の実現方法について説明する。
【００４５】
鏡像画像の作成方法には、図１に示した主にホストコンピュータ１００側でＰＤＬデータを作成する前に左右の反転されたデータを作成する第１の印刷処理方法と、ホストコンピュータ１００側では特に処理を行わずに、プリンタ１５０側にてＰＤＬデータから印刷画像を展開する際に左右の反転を行う第２の印刷処理方法の２通りがあるが、そのいずれを用いるかは特に問わない。なお、本実施形態では後者を例として取り上げる。
【００４６】
図４は、本発明に係る印刷システムにおける第１のデータ処理手順の一例を説明するフローチャートであり、鏡像印刷処理手順に対応する。なお、（４０１）〜（４１０）は各ステップを示し、ステップ（４０１）〜（４０５）は、図１に示したホストコンピュータ１００のＣＰＵ１５１が外部メモリ１１１に記憶される制御プログラム（図２に示すアプリケーション２０１，グラフィックエンジン２０２，プリンタドライバ２０３，システムスプーラ２０４）を実行することにより実現され、ステップ（４０６）〜（４１０）は、図１に示したプリンタ１５０のＣＰＵ１５１が外部メモリ１６０，ＲＯＭ１５３等に記憶される制御プログラム（鏡像印刷処理プログラム）を実行することにより実現される。
【００４７】
まず、ユーザの印刷実行に伴って印刷処理を開始し（４０１）、アプリケーション２０１、グラフィックエンジン２０２を経由して渡された印刷命令に対して、プリンタドライバ２０３は実際のデータ処理を行う前に、ユーザによってなされた各設定に基づき各コマンドの生成を行う。鏡像印刷に関しても同様にこの時点で設定の有無を判断し（４０２）、設定がなされているようであれば鏡像印刷指定のコマンドの生成を行う（４０３）。
【００４８】
その後は、プリンタドライバ２０３は、通常のＤＤＩからＰＤＬデータへの変換処理とまったく同様の処理を行う（４０４）。
【００４９】
つまり、作成されるＰＤＬデータは鏡像印刷指定のコマンドを伴っている以外は通常印刷とまったく変わらないものである。このデータをプリンタドライバ２０３は、ＯＳのシステムスプーラ２０４を経由して、プリンタ１５０へ転送する（４０５）。
【００５０】
このデータを受け取ったプリンタ１５０は、ＰＤＬデータ中に記載されているＰＤＬに基づき一枚の画像へと展開していくが、この前に鏡像指定のコマンドの有無を判定し（４０７）、指定コマンドがあると判断した場合は、この展開するときのメモリ空間の座標系を、図５に示すように、通常の場合と原点を左右逆方向に、すなわち通常左上である原点を右上とし、また、Ｘ座標を、マイナス方向を正の方向とし、すなわち通常右方向を正として取られる座標を、左向きを正とし（４０８）、この座標系に対して画像の展開を行う（４０９）。そして、エンジン部よりＯＨＰフィルムを給送して印刷処理を行い（４１０）、処理を終了する。
【００５１】
図５は、図１に示したＲＡＭ１５２上で画像展開座標系を説明する図である。
【００５２】
図５に示すように、画像は通常の座標系５０１に対して展開された場合に対して、座標形の変換を行った後に展開された座標系５０２では、左右の入れ替わった画像となる。このようにして展開された画像を、プリンタ１５０は指定されたメディアへと印刷を行う。この結果として鏡像印刷を生成することとなる。
【００５３】
次に、指定されたメディアにより、前述した鏡像印刷の処理への切り替えを自動的に行う手法について述べる。
【００５４】
まず、印刷実行の前に、ホストコンピュータ１００のプリンタドライバ２０３の設定の１つとしてメディアの指定という操作を、図６に一例を示すようなユーザインタフェースを介して行わせる。これはそれぞれのメディアに応じた最適な印刷を行うために、定着性を良くするために印刷スピードを変えたり、またフィニッシングや両面印刷ができないメディアに対してそのような指定が行われないようにするのが目的である。
【００５５】
図６は、図２に示したプリンタドライバ２０３がＣＲＴ１１０上に表示するユーザインタフェースの一例を示す図であり、メデイア指定（用紙タイプ）を行うためのプロパティ画面に対応する。
【００５６】
図６において、ユーザインタフェース上のコンボボックス６０２より特定のメディアを選択することにより設定の変更が行われる。ＯＨＰフィルムもこの選択肢６０３の１つとして用意されているものとする。
【００５７】
ここでメディアとしてＯＨＰフィルムが指定された場合の処理を図７に示す。
【００５８】
図７は、本発明に係る印刷システムにおける第２のデータ処理手順の一例を説明するフローチャートであり、鏡像印刷処理手順に対応する。なお、（７０１）〜（７１３）は各ステップを示し、ステップ（７０１）〜（７０６）は、図１に示したホストコンピュータ１００のＣＰＵ１５１が外部メモリ１１１に記憶される制御プログラム（図２に示すアプリケーション２０１，グラフィックエンジン２０２，プリンタ２０３，システムスプーラ２０４）を実行することにより実現され、ステップ（７０７）〜（７１３）は、図１に示したプリンタ１５０のＣＰＵ１５１が外部メモリ１６０，ＲＯＭ１５３等に記憶される制御プログラム（鏡像印刷処理プログラム）を実行することにより実現される。
【００５９】
まず、ユーザインタフェース６０１で設定されたＯＨＰフィルムの指定は一時的に外部メモリ１１１に保持される。次に、ユーザからの印刷開始の指定に伴い（７０１）、プリンタドライバ２０３は印刷データの作成を開始する。この際、前述した外部メモリ１１１に保持した設定に伴い出力対象となるメディアの判別を行い（７０２）、この判別の結果がＯＨＰフィルムでない場合は、ステップ（７０５）以降へ進む。
【００６０】
一方、ステップ（７０２）で、判別の結果がＯＨＰフィルムである場合は、プリンタドライバ２０３は、メディアの設定に伴いＯＨＰフィルムが印刷対象メディアであることを指定するコマンドを作成する（７０３）。続いて、鏡像印刷指定コマンドの生成を行う（７０４）。
【００６１】
これらの処理はメディアとしてＯＨＰフィルム以外のものが指定された場合は行われない。
【００６２】
これ以降に関してはメディアの設定を問わずに通常と同様の印刷データの作成（ＰＤＬへの変換）を行う（７０５）。最後に作成された印刷データに、鏡像指定のコマンド、ＯＨＰフィルムを指定するコマンドを付加し、印刷ジョブとして出力される（７０６）。出力された印刷ジョブはスプーラ２０４を経由してプリンタ１５０側へ転送される。この時のデータ構造の一例を図８に示す。
【００６３】
図８は、図２に示したプリンタドライバ２０３により生成されるＰＤＬデータの構造例を示す図である。
【００６４】
このデータを受け取ったプリンタ１５０は、まず、設定コマンドの解析を行い（７０７）、印刷方法の設定において、鏡像指定コマンドが設定されているか否かの判断を行い（７０８）、設定があると判断した場合は、前述と同様な鏡像画像作成のための座標形の変換を行い（７０９）、メモリ上に印刷データを展開し、一枚の印刷画像を形成する（７１０）。
【００６５】
そして、図８に示すようなＰＤＬデータ中の給排紙方法の設定において、メディアとしてＯＨＰフィルムが設定されているかを判断し（７１１）、設定がなされていないと判断した場合は、ステップ（７１３）以降へ進む。
【００６６】
一方、ステップ（７１１）で、設定がなされていると判断した場合は、メディアとしてＯＨＰフィルムが給紙されるように、ＯＨＰフィルムが備えられている給紙段への切り替えやＯＨＰフィルムが備えられていない場合はユーザに対して用紙交換の要求を発するとともに、ＯＨＰフィルムに適した定着性を得られるようにエンジンスピードの切り替えを行う（７１２）。
【００６７】
そして、最後にステップ（７１０）にてメモリ上に展開された、鏡像化された印刷画像を、選択されたＯＨＰフィルム上に印刷を行い（７１３）、目的とするところの裏面に印刷のされたＯＨＰフィルムを得ることになる。
【００６８】
このようにして得られたＯＨＰフィルムをＯＨＰ原稿台に設置した場合を、図９に示す。
【００６９】
図９は、本発明に係る印刷システムにおけるＯＨＰフィルム印刷処理状態を説明する図である。
【００７０】
図９において、フィルムのカールによるぼやけを防ぐために、載置状態９０１に示すように、フィルムは印刷面を下向きとして設置される。この時、印刷画像は鏡像反転されているため、投影画像は予想通りの向きのものを得ることができる。
【００７１】
また、カール方向を下向きにしているため、通常印刷を用いた場合、図３に示した画像３０４よりも、より鮮明な画像９０２を得ることができる。
【００７２】
次に、綴じ代機能に関して説明する。なお、綴じ代機能処理は、プリンタドライバに備えた内部スプール機能を用いることによって、ホストコンピュータ側にてシフトされた描画指定を生成する第１の方法と、プリンタ本体側にて画像展開時に、指定された量だけシフトされた座標に変換する第２の方法とがある。本実施形態では後者を例として説明するが、本発明ではそのいずれを用いるかは問わないものとする。
【００７３】
ここで、綴じ代機能とは、印刷時に閉じ方向と画像のシフト量を指定することにより、用紙の一辺に余白領域を設け、ステイプルにより印刷が綴じ込まれたり、パンチにより印刷が切り取られたりという不具合を回避するものである。
【００７４】
図１０は、図１に示したプリンタ１５０における綴じ代を指定印刷時の出力例を説明する図である。
【００７５】
図１０において、原稿データ１００１に対して綴じ代指定を行わずに印刷したものにステイプル、パンチを行った際の結果例を出力１００２、１００３に示す。ステイプルＳＴやパンチＰＣを行うことにより、綴じ辺付近にされた描画が綴じこまれたり、切り取られたりしてしまう。
【００７６】
これを回避するために、画像１００４、１００５のように画像域を移動させることで、綴じ代となる辺に余白領域を設け、前述のような不具合を回避することを可能とする。
【００７７】
図１１は、図２に示したプリンタドライバ２０３がＣＲＴ１１０上に表示するユーザインタフェースの一例を示す図であり、綴じ代の指定を行うための印刷設定画面に対応する。
【００７８】
図１１の（ａ）に示すように、本実施形態では、ドライバユーザインタフェース１１０１上に設けられたリストコンボボックス１１０２にて閉じ方向の指定をさせ、さらにボタン１１０３の押下により表示される、図１１の（ｂ）に示すユーザインタフェース１１０４上に設けられたコントロール１１０５にて綴じ代量を指定させることにより、ユーザからの本機能の利用を可能としている。
【００７９】
図１２は、本発明に係る印刷システムにおける第３のデータ処理手順の一例を説明するフローチャートであり、鏡像印刷処理手順に対応する。なお、（１２０１）〜（１２１３）は各ステップを示し、ステップ（１２０１）〜（１２０７）は、図１に示したホストコンピュータ１００のＣＰＵ１５１が外部メモリ１１１に記憶される制御プログラム（図２に示すアプリケーション２０１，グラフィックエンジン２０２，プログラムドライバ２０３，システムスプーラ２０４）を実行することにより実現され、ステップ（１２０８）〜（１２１３）は、図１に示したプリンタ１５０のＣＰＵ１５１が外部メモリ１６０，ＲＯＭ１５３等に記憶される制御プログラム（綴じ代印刷処理プログラム）を実行することにより実現される。
【００８０】
先ず、印刷開始が指示されると（１２０１）、図１１に示した前述のユーザインタフェースでの綴じ方向の指定を判定して（１２０２）、指定がないと判定した場合は、ステップ（１２０６）以降へ進み、指定があると判定した場合は、綴じ方向指定のコマンドを生成する（１２０３）。
【００８１】
次に、綴じ代量の指定状態を判定して（１２０４）、指定がないと判定した場合は、ステップ（１２０６）以降へ進み、指定があると判定した場合は、綴じ代量を指定するコマンドを生成する（１２０５）。そして、生成されたコマンドは印刷データの生成の後（１２０６）、印刷ジョブに付加されてプリンタコントローラに転送される（１２０７）。この時のデータ構造の一例を図１３に示す。
【００８２】
図１３は、図２に示したプリンタドライバ２０３により生成されるＰＤＬデータの構造例を示す図であり、綴じ代指定印刷時の印刷ジョブにおけるデータ構造例である。
【００８３】
この印刷ジョブを受け取ったプリンタ１５０のプリンタコントローラ（ＣＰＵ１５１）は、ＰＤＬデータ中の設定コマンドを解析して（１２０８）、綴じ代の指定の有無から画像のシフト量が必要か否かを判別し（１２０９）、必要でないと判別した場合は、ステップ（１２１２）へ進み、印刷データの展開処理を行い、印刷処理を実行して（１２１３）、処理を終了する。
【００８４】
一方、ステップ（１２０９）で、画像のシフト量が必要であると判別した場合は、さらに、そのシフト方向を決定するために、印刷ジョブに設定されている綴じ方向指定を判別して（１２１０）、綴じ方向指定がないと判別した場合は、ステップ（１２１２）へ進む。
【００８５】
一方、ステップ（１２１０）で、綴じ方向指定があると判別した場合は、コントローラは、同印刷ジョブに含まれる描画データのメモリ上への展開を行う。この際、各描画データに指定されている座標を、綴じ方向の逆方向、指定された綴じ代量座標をシフトされたものに変換し、メモリ上への展開を行う（１２１１）。結果として、綴じ代に余白が設けられた印刷物を生成することとなる。
【００８６】
そして、展開されたイメージデータをプリンタエンジンで印刷処理を実行して（１２１３）、処理を終了する。
【００８７】
以上、ＯＨＰ鏡像印刷機能と綴じ代機能について説明したが、この両機能を併用した際に、図１４に示すような不具合が予想される。
【００８８】
図１４は、この種の印刷システムにおける綴じ代鏡像印刷時の画像出力状態を示す図である。
【００８９】
図１４に示すように、原稿データ１４０１に対し出力結果１４０２を期待し、綴じ代機能を適応した場合、ＯＨＰ鏡像印刷機能と併用すると、印刷は左右反転されるが、綴じ代機能における綴じ方向の指定の左右は、印刷面に対して指定されるものであるため位置１４０３に余白を生成する。
【００９０】
しかしながら、ＯＨＰ鏡像印刷機能は用紙を裏面にして利用することを前提としているため、実際の利用時には綴じ代方向が左右反対側に付加される結果１４０４となってしまう。
【００９１】
この現象を回避するために、本実施形態では以下に示すような処理を行うことにより、綴じ方向の反転も行い、ユーザの期待する出力結果を提供可能とする。なお、この処理はユーザが使用する原稿データ、および綴じ代指定から不具合となる場合を判断し、必要に応じ自動的に処理を行うことにより、ユーザに特に意識させず、また、不要な指定などをさせることなく、最適な出力を可能とすることを目的としている。
【００９２】
図１５は、本発明に係る印刷システムにおける第４のデータ処理手順の一例を説明するフローチャートであり、鏡像印刷処理手順に対応する。なお、（１５０１）〜（１５１１）は各ステップを示し、ステップ（１５０１）〜（１５０５）は、図１に示したホストコンピュータ１００のＣＰＵ１５１が外部メモリ１１１に記憶される制御プログラム（図２に示すアプリケーション２０１，グラフィックエンジン２０２，プリンタ２０３，システムスプーラ２０４）を実行することにより実現され、ステップ（１５０６）〜（１５１１）は、図１に示したプリンタ１５０のＣＰＵ１５１が外部メモリ１６０，ＲＯＭ１５３等に記憶される制御プログラム（綴じ代印刷処理プログラム）を実行することにより実現される。
【００９３】
プリンタドライバ２０３は、印刷処理開始が指示されると（１５０１）、まず、ユーザからＯＨＰ鏡像印刷が指定されているかを判別して（１５０２）、ＯＨＰ鏡像印刷の指定が無いと判別した場合は、ステップ（１５０６）へ進み、通常通りの綴じ代指定処理を行う。
【００９４】
一方、ステップ（１５０２）で、ＯＨＰ鏡像印刷が指定されていると判別した場合、ＯＨＰ鏡像印刷コマンドを生成する（１５０３）。次に、綴じ方向の指定が上下左右のいずれかを判別して（１５０４）、綴じ方向が上、もしくは下方向の場合は特に処理を行わずに、ステップ（１５０７）以降へ進む。
【００９５】
一方、ステップ（１５０４）で、綴じ方向が左、もしくは右であると判断した場合は、ＯＨＰ鏡像印刷時の不具合の対象となるので、ここで綴じ方向を反転させ（１５０５）、ステップ（１５０７）以降へ進む。
【００９６】
一方、ステップ（１５０２）でＯＨＰ鏡像印刷が指定されていないと判別した場合、ステップ（１５０６）で、綴じ方向が上下左右かどうかを判別して、いずれでもないと判断した場合は、ステップ（１５１０）以降へ進む。
【００９７】
一方、ステップ（１５０６）で、綴じ方向が上下左右のいずれかであると判断した場合は、ステップ（１５０７）へ進み、通常の綴じ代印刷処理と同様に綴じ方向指定コマンドを生成する。
【００９８】
次に、必要に応じて綴じ代量が数値指定されているかどうかを判断して（１５０８）、指定されていないと判断した場合は、ステップ（１５１０）以降に進む。
【００９９】
一方、ステップ（１５０８）で、綴じ代量が数値指定されていると判断した場合は、必要に応じて綴じ代量指定コマンドを生成する（１５０９）。
【０１００】
その後は、プリンタドライバ２０３は、通常のＤＤＩからＰＤＬデータへの変換処理とまったく同様の処理を行う（１５１０）。
【０１０１】
そして、このデータをプリンタドライバ２０３は、ＯＳのシステムスプーラ２０４を経由して、プリンタ１５０へ転送する（１５１１）。以後、プリンタコントローラ側ではすでに反転された綴じ代指定に従い、通常どおりに処理が行われる。
【０１０２】
結果として鏡像印刷に併せて綴じ代方向も反転された画像が出力されることとなる。本発明を適用した際の出力例を図１６に示す。
【０１０３】
図１６は、本発明に係る印刷システムにおける綴じ代鏡像印刷時の画像出力状態を示す図である。
【０１０４】
図１６に示すように、原稿データ１６０１はＯＨＰフィルムに対して画像１６０３のように印刷される。これを実際に利用する際には、表裏を反対にして用いるため、画像１６０４のような状態となり、これは通常の用紙に印刷した場合、印刷結果１６０２となり、ユーザの期待するものとなる。
【０１０５】
以上の手法を用いることにより、ＯＨＰフィルムへの鏡像印刷と綴じ代機能という２つの技術を併用した際に起こる不具合を回避し、ユーザの期待する通りの出力を提供することを可能としている。
【０１０６】
またこれらの処理を内部的に切り換えて自動的に行う事で、常にユーザに最適な出力結果を提供する事を可能としている。
【０１０７】
以下、図１７に示すメモリマップを参照して本発明に係る印刷システムで読み取り可能なデータ処理プログラムの構成について説明する。
【０１０８】
図１７は、本発明に係る印刷システムで読み取り可能な各種データ処理プログラムを格納する記憶媒体のメモリマップを説明する図である。
【０１０９】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１１０】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１１１】
本実施形態における図４，図７，図１２，図１５に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１１２】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１１３】
この場合、記憶媒体から読み出されたプログラムコード自体が本発明の新規な機能を実現することになり、そのプログラムコードを記憶した記憶媒体は本発明を構成することになる。
【０１１４】
従って、プログラムの機能を有していれば、オブジェクトコード、インタプリタにより実行されるプログラム、ＯＳに供給するスクリプトデータ等、プログラムの形態を問わない。
【０１１５】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１１６】
この場合、記憶媒体から読出されたプログラムコード自体が前述した実施形態の機能を実現することになり、そのプログラムコードを記憶した記憶媒体は本発明を構成することになる。
【０１１７】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１１８】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１１９】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１２０】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１２１】
本発明は上記実施形態に限定されるものではなく、本発明の趣旨に基づき種々の変形（各実施形態の有機的な組合せを含む）が可能であり、それらを本発明の範囲から排除するものではない。
【０１２２】
本発明の様々な例と実施形態を示して説明したが、当業者であれば、本発明の趣旨と範囲は、本明細書内の特定の説明に限定されるものではない。
【０１２３】
なお、本発明は、上記した実施形態に限定されるものではなく、本発明の要旨を逸脱しない範囲内において種々変更を加え得ることは勿論である。
【図面の簡単な説明】
【０１２４】
【図１】本発明の第１実施形態を示すデータ処理装置を適用可能な印刷システムの構成を説明するブロック図である。
【図２】図１に示したホストコンピュータにおけるモジュールの構成を説明するブロック図である。
【図３】図１に示したプリンタから給送されるＯＨＰフィルムに対する印刷処理状態を説明する図である。
【図４】本発明に係る印刷システムにおける第１のデータ処理手順の一例を説明するフローチャートである。
【図５】図１に示したＲＡＭ上で画像展開座標系を説明する図である。
【図６】図２に示したプリンタドライバがＣＲＴ上に表示するユーザインタフェースの一例を示す図である。
【図７】本発明に係る印刷システムにおける第２のデータ処理手順の一例を説明するフローチャートである。
【図８】図２に示したプリンタドライバにより生成されるＰＤＬデータの構造例を示す図である。
【図９】本発明に係る印刷システムにおけるＯＨＰフィルム印刷処理状態を説明する図である。
【図１０】図１に示したプリンタにおける綴じ代を指定印刷時の出力例を説明する図である。
【図１１】図２に示したプリンタドライバがＣＲＴ上に表示するユーザインタフェースの一例を示す図である。
【図１２】本発明に係る印刷システムにおける第３のデータ処理手順の一例を説明するフローチャートである。
【図１３】図２に示したプリンタドライバにより生成されるＰＤＬデータの構造例を示す図である。
【図１４】この種の印刷システムにおける綴じ代鏡像印刷時の画像出力状態を示す図である。
【図１５】本発明に係る印刷システムにおける第４のデータ処理手順の一例を説明するフローチャートである。
【図１６】本発明に係る印刷システムにおける綴じ代鏡像印刷時の画像出力状態を示すである。
【図１７】本発明に係る印刷システムで読み取り可能な各種データ処理プログラムを格納する記憶媒体のメモリマップを説明する図である。
【符号の説明】
【０１２５】
１００  ホストコンピュータ
１０１  ＣＰＵ
１０２  ＲＡＭ
１１１  外部メモリ
１５０  プリンタ
１５１  ＣＰＵ
１５２  ＲＡＭ
２０１  アプリケーション
２０２  グラフィックエンジン
２０３  プリンタドライバ
２０４  システムスプーラ
【図１】
2005216032.tif 000003
【図２】
2005216032.tif 000004
【図３】
2005216032.tif 000005
【図４】
2005216032.tif 000006
【図５】
2005216032.tif 000007
【図６】
2005216032.tif 000008
【図７】
2005216032.tif 000009
【図８】
2005216032.tif 000010
【図９】
2005216032.tif 000011
【図１０】
2005216032.tif 000012
【図１１】
2005216032.tif 000013
【図１２】
2005216032.tif 000014
【図１３】
2005216032.tif 000015
【図１４】
2005216032.tif 000016
【図１５】
2005216032.tif 000017
【図１６】
2005216032.tif 000018
【図１７】
2005216032.tif 000019